(57)【要約】【課題】従来構成のＰＤＰ装置においてＰＤＰパネル本体から放出される電磁波を低減するために低導電率を有する金属メッシュやスパッタが使用されていたが、ＰＤＰパネル内部に流れる放電電流により発生する交番磁界に対して十分な遮断が出来ていない。【解決手段】上側走査電極駆動回路３０と上側維持電極駆動回路３３と上側データー電極駆動回路３１と電極ＳＣＵＮ１〜ＳＣＵＮｍとＤＵ１〜ＤＵｑとＳＵＳＵＮ１〜ＳＵＳＵＮｍで構成される上側と、下側走査電極駆動回路３４と下側維持電極駆動回路３６と下側データー電極駆動回路３５と電極ＳＣＤＮ１〜ＳＣＤＮｍとＤＤ１〜ＤＤｑとＳＵＳＤＮ１〜ＳＵＳＤＮｍで構成される下側において、上側と下側に流れる放電電流の向きを反転する。【選択図】図１
2005326443.tif 000002
【特許請求の範囲】
【請求項１】
表示画面においての上下方向の中央で、データ電極が上側と下側に分離され上下共に複数のお互いに平行な走査電極及び維持電極を有し、上側走査電極を駆動する第１の走査電極駆動回路と上側維持電極を駆動する第１の維持電極駆動回路に対して、下側走査電極を駆動する第２の走査電極駆動回路と下側維持電極を駆動する第２の維持電極駆動回路が逆向きとなるように構成されたプラズマディスプレイ装置。
【発明の詳細な説明】
【技術分野】
【０００１】
本発明は、大画面で、薄型、軽量のディスプレイ装置として知られているプラズマディスプレイ装置の不要磁界輻射に関するものである。
【背景技術】
【０００２】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
まず、プラズマディスプレイ装置におけるプラズマディスプレイパネルの構造について図４を用いて説明する。
【０００５】
図５に図４のＡ−Ａ’線で切断した断面を示し、図６に図４のＢ−Ｂ’線で切断した断面を示している。図に示すように、ガラス基板などの透明な前面側の基板１上には、走査電極２と維持電極３とで対をなすストライプ状の表示電極４が複数対形成され、そして基板１上の隣り合う表示電極４間には遮光層５が配置形成されている。この走査電極２および維持電極３は、それぞれ透明電極２ａ、３ａおよびこの透明電極２ａ、３ａに電気的に接続された銀等の母線２ｂ、３ｂとから構成されている。また、前記前面側の基板１には、前記複数対の電極群を覆うように誘電体層６が形成され、その誘電体層６上には保護膜７が形成されている。
【０００６】
また、前記前面側の基板１に対向配置される背面側の基板８上には、走査電極２及び維持電極３の表示電極４と直交する方向に、絶縁体層９で覆われた複数のストライプ状のデータ電極１０が形成されている。このデータ電極１０間の絶縁体層９上には、データ電極１０と平行にストライプ状の複数の隔壁１１が配置され、この隔壁１１間の側面１１ａおよび絶縁体層９の表面に蛍光体層１２が設けられている。
【０００７】
これらの基板１と基板８とは、走査電極２および維持電極３とデータ電極１０とが直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁１１によって複数の区画に仕切ることにより、表示電極４とデータ電極１０との交点が位置する複数の放電セル１３が設けられ、その各放電セル１３には、赤色、緑色及び青色となるように蛍光体層１２が一色ずつ順次配置されている。
【０００８】
次に、上記パネル本体の動作について説明すると、このパネル本体の電極配列は、図７に示すように、Ｍ行×Ｎ列の放電セルからなるマトリックス構成であり、行方向にはＭ行の走査電極ＳＣＮ１〜ＳＣＮＭおよび維持電極ＳＵＳ１〜ＳＵＳＭが配列され、列方向にはＮ列のデータ電極Ｄ１〜ＤＮが配列されている。
【０００９】
また、このパネル本体を用いたＡＣ型プラズマディスプレイ装置の駆動方法のタイミングチャートの一例を図８に示す。
【００１０】
図７および図８に示すように、書き込み期間では、全ての維持電極ＳＵＳ１〜ＳＵＳＭを０（Ｖ）に保持した後に、第１行目の表示する放電セルに対応する所定のデータ電極Ｄ１〜ＤＮに正の書き込みパルス電圧＋Ｖｗ（Ｖ）を、第１行目の走査電極ＳＣＮ１に負の走査パルス電圧−Ｖｓ（Ｖ）をそれぞれに印加すると、所定のデータ電極Ｄ１〜ＤＮと第１行目の走査電極ＳＣＮ１との交点部において、書き込み放電が起こる。
【００１１】
次に、第２行目の表示する放電セルに対応する所定のデータ電極Ｄ１〜ＤＮに正の書き込みパルス電圧＋Ｖｗ（Ｖ）を、第２行目の走査電極ＳＣＮ２に負の走査パルス電圧−Ｖｓ（Ｖ）をそれぞれに印加すると、所定のデータ電極Ｄ１〜ＤＮと第２行目の走査電極ＳＣＮ２との交点部において書き込み放電が起こる。
【００１２】
上記同様の動作が順次に行われて、最後に第Ｍ行目の表示する放電セルに対応する所定のデータ電極Ｄ１〜ＤＮに正の書き込みパルス電圧＋Ｖｗ（Ｖ）を、第Ｍ行目の走査電極ＳＣＮＭに負の走査パルス電圧−Ｖｓ（Ｖ）をそれぞれに印加すると、所定のデータ電極Ｄ１〜ＤＮと第Ｍ行目の走査電極ＳＣＮＭとの交点部において書き込み放電が起こる。
【００１３】
次の維持期間では、全ての走査電極ＳＣＮ１〜ＳＣＮＭを一旦０（Ｖ）に保持すると共に、全ての維持電極ＳＵＳ１〜ＳＵＳＭに負の維持パルス電圧−Ｖｍ（Ｖ）を印加すると、書き込み放電を起こした前記交点部における走査電極ＳＣＮ１〜ＳＣＮＭと維持電極ＳＵＳ１〜ＳＵＳＭとの間に維持放電が起こる。次に全ての走査電極ＳＣＮ１〜ＳＣＮＭと全ての維持電極ＳＵＳ１〜ＳＵＳＭとに負の維持パルス電圧−Ｖｍ（Ｖ）を交互に印加することにより、表示する放電セルにおいて維持放電が継続して起こる。この維持放電の発光によりパネル表示が行われる。
【００１４】
次の消去期間において、全ての走査電極ＳＣＮ１〜ＳＣＮＭを一旦０（Ｖ）に保持すると共に、全ての維持電極ＳＵＳ１〜ＳＵＳＭに消去パルス電圧−Ｖｅ（Ｖ）を印加すると、消去放電を起こして放電が停止する。
【００１５】
以上の動作により、ＡＣ型プラズマディスプレイ装置において、一画面が表示される。
【００１６】
図９に上記で説明したパネル本体を組み込んだプラズマディスプレイ装置の全体構成の一例を示している。図において、パネル本体１４を収容するケースは、金属製のフロントケース部１５とバックケース部１６とから構成され、フロントケース部１５の前面にはガラス等からなる透光部１７が設けられている。さらに、バックケース部１６には、パネル本体１４等で発生した熱を外部に放出するための複数の通気孔１６ａが設けられている。
【００１７】
前記パネル本体１４は、アルミニウム製のシャーシ部材１８の前面に絶縁性の熱伝導シート１９を介して接着することにより保持され、そしてシャーシ部材１８の後面側には、パネル本体１４を発光駆動させるための複数の回路ブロック２０が取り付けられている。前記熱伝導シート１９は、パネル本体１４で発生した熱をシャーシ部材１８に効率よく伝え、放熱を行うためのものであり、回路ブロック２０はパネル本体１４の発光駆動とその制御を行うための電気回路を備えており、パネル本体１４の縁部に引き出された電極引出部に、シャーシ部材１８の四辺の縁部を越えて延びる複数のフレキシブル配線基板（図示せず）によって電気的に接続されている。
【００１８】
また、シャーシ部材１８の後面には、複数の放熱用フィン１８ａと回路ブロック２０を取り付けるための複数のボス部１８ｂとシャーシ部材１８をバックケース部１６に固定するためのボス部１８ｃとが、ダイカストや鋳造等による一体成型により突設されている。（例えば、特許文献１参照）。
【００１９】
以上のような構成を持つプラズマディスプレイ装置において、維持期間の走査電極と維持電極の一組に約４００ｍＡｐ−ｐの電流が流れるのでＭ行の電極がある場合、
０．４Ａｐ−ｐ×Ｍ＝０．４Ｍ  Ａｐ−ｐ
となり、Ｍを４８０行とすれば１９２Ａｐ−ｐの放電電流が流れる。  よって約１９２Ａｐ−ｐの電流により引き起こされる電磁波妨害において磁界による妨害は重要な課題である。
さらに電磁波は、計器に障害を及ぼすことが知られており、最近では、電磁波が人体にも障害を及ぼす可能性もあるとの報告もされている。このため、電磁波放出に関しては、法的に規制される方向になっている。
【００２０】
例えば、現在日本では、ＶＣＣＩ（Ｖｏｌｕｎｔａｌｙ  Ｃｏｎｔｒｏｌ  Ｃｏｕｎｃｉｌ  ｆｏｒ  Ｉｎｔｅｒｆｅｒｅｎｃｅ  ｂｙ  ｄａｔａ  ｐｒｏｃｅｓｓｉｎｇ  ｅｑｕｉｐｍｅｎｔ  ｅｌｅｃｔｒｏｎｉｃ  ｏｆｆｉｃｅ  ｍａｃｈｉｎｅ）による規制があり、米国では、ＦＣＣ（Ｆｅｄｅｒａｌ  Ｃｏｍｍｕｎｉｃａｔｉｏｎ  Ｃｏｍｍｉｓｓｉｏｎ）による製品規制がある。
【００２１】
以上のような電磁波妨害に関して、電磁波遮断用途としてテレビやコンピューター用ＣＲＴモニター向けの電磁波遮断フィルターとして広く用いられている。例えば、特許文献２において、プラズマディスプレイパネル（ＰＤＰ）は、その発光原理上強度の電磁波を表示部分から外部に放出する強度の電磁波を遮断するためには、低抵抗であり透明な電磁波遮断フィルターが必要であると述べられている。
【００２２】
上記公報には、低抵抗透明導電性薄膜の開発にあたっては、金属薄膜層、特に純物質中で最も比抵抗が小さい銀を用いた金属薄膜層の利用が有効であり、さらに透過率上昇及び金属薄膜層の安定性向上の目的で、金属薄膜層を透明高屈折率薄膜層で挟み込み透明導電性薄膜積層体を形成することが非常に効果的であり、この透明導電性薄膜積層体は、各薄膜層の材料や膜厚を選ぶことによって、用途に応じて最適な光学特性及び電気特性を持つように設計することができると提案されている。
【００２３】
さらに上記公報には、金属薄膜層材料としてその比抵抗の低さ故に好適に用いられる銀は、反面原子の凝集を生じやすいという面を持つ。例えば、塩化物イオン存在下又は、電場下において容易に凝集を生じる。銀薄膜中の銀原子が凝集すると銀白色の点を生じ、本来持つ高透明性や、低抵抗性を失ってしまう。銀の凝集を抑制するための手法の１つとして、他の金属と銀を合金化する方法がある。合金化に用いる金属としては、金、銅、パラジウムが一般的である。従来は銀とパラジウムと銅からなる合金が最も耐久性の優れた銀合金材料であった。特にパラジウム及び銅をそれぞれ１重量パーセントずつ含有する銀合金を用いた場合は純銀を用いた場合に比較して高透明性及び低抵抗性を著しく損なうこと無く、透明導電性薄膜積層体の耐久性を向上させることができる。しかしながら、これら透明導電性薄膜積層体は、塩化物イオンの存在下において、又は電流を流すことによって銀薄膜層での銀原子の凝集を生じ易い。そのため透明電極や電磁波遮断フィルター用部材として用いた場合に、銀凝集による点状欠陥が生じやすかったとも述べられている。
【特許文献１】特許第２８０７６７２号公報
【特許文献２】特開２００３−２２５９６４号公報
【発明の開示】
【発明が解決しようとする課題】
【００２４】
しかしながら、前記従来の構成ではパネル本体から放出される電磁波を低導電率を有する金属体で低減させることが課題となっていたが、上記のようにプラズマディスプレイ装置のパネル内部では約２００Ａｐ−ｐのピーク交番電流が常時流れるために単純に電磁波を低減すると言うよりも電界、磁界と分離して低減する必要性が発生した。  さらに電磁波を低減するために前面ガラスに銅や銀を利用した電磁波フィルターが導入されているが銅や銀は非磁性体であるので不要電界成分に関しては十分な効果のある遮蔽体になるが、磁界に関しては銅や銀の非磁性体金属に交番磁界が交差したときに銅や銀の非磁性体金属内部で発生する渦電流による外部高周波磁界打消し効果しか期待出来ず、低域磁界成分により発生する磁界不要輻射成分の低減が課題となってきている。
【００２５】
本発明はこのような課題を解決し、パネル本体からの磁界を低減させることを目的とするものである。
【課題を解決するための手段】
【００２６】
上記目的を達成するために本発明のプラズマディスプレイ装置は、表示画面の上下方向の中央で、データ電極が上側と下側に分離され上下共に複数のお互いに平行な走査電極及び維持電極を有し、上側走査電極を駆動する第１の走査電極駆動回路と上側維持電極を駆動する第１の維持電極駆動回路に対して、下側走査電極を駆動する第２の走査電極駆動回路と下側維持電極を駆動する第２の維持電極駆動回路が逆向きとなるように構成されており上側と下側の走査電極と維持電極間に流れる放電電流が逆方向となる。
【発明の効果】
【００２７】
本発明のプラズマディスプレイ装置によれば、上側放電電流と下側放電電流の方向が逆方向に発生するので、放電電流により発生する上下磁界がお互いに打ち消しあいを行うことで不要な磁界成分の発生を抑えることが可能となる。さらに維持電極を駆動する維持電極駆動回路に関して上下で分離されているので、維持電極駆動回路内部に発生する浮遊インダクタンス成分を小さく出来るので表示品質の向上が図れる。
【発明を実施するための最良の形態】
【００２８】
以下、本発明を実施するための最良の形態について、図面を参照しながら説明する。
【００２９】
（実施の形態１）
図１は本発明の実施の形態１におけるプラズマディスプレイ装置の電極構成とブロック図である。図１において、上側走査電極駆動回路３０と上側維持電極駆動回路３３と上側データ電極駆動回路３１と電極ＳＣＵＮ１〜ＳＣＵＮｍとＤＵ１〜ＤＵｑとＳＵＳＵＮ１〜ＳＵＳＵＮｍで構成される上側は図７で述べた電極構成と同等のものであり、下側走査電極駆動回路３４と下側維持電極駆動回路３６と下側データ電極駆動回路３５と電極ＳＣＤＮ１〜ＳＣＤＮｍとＤＤ１〜ＤＤｑとＳＵＳＤＮ１〜ＳＵＳＤＮｍで構成される下側に関しても図７で述べた電極構成と同等のものである。
【００３０】
上述のような構成において、データ電極数が増加したり、走査電極数が増加した場合に従来例の図８で述べたタイミングチャートの時間が不足するので（本実施の形態１）に示すような表示画面の上側と下側との並列駆動が用いられる。
【００３１】
図１の構成において、基本構成は図７の従来構成を表示画面の上側と下側に２個並べたものであるが、本実施の形態では上側の上側走査電極駆動回路３０と上側維持電極駆動回路３３と下側の下側走査電極駆動回路３４と下側維持電極駆動回路３６が左右反対の構成になっている。
【００３２】
図２に本実施の形態のタイミングチャートを示す。図２において書き込み期間は図８で述べたタイミングチャートと同等であるが、維持期間に関して上側ＳＣＵＮ１〜ＳＣＵＮｍと下側ＳＣＤＮ１〜ＳＣＤＮｍが反転しており、さらに上側ＳＵＳＵＮ１〜ＳＵＳＵＮｍとＳＵＳＤＮ１〜ＳＵＳＤＮｍが反転している。図３に維持期間の詳細なタイミングチャートを示す。
【００３３】
図３において、上側走査電極電圧波形と下側走査電極電圧波形が反転し、上側維持電極電圧波形と下側維持電極電圧波形が反転していることは上述しているが、このとき上側の走査電極から上側の維持電極に流れる放電電流と下側の走査電極から下側の維持電極に流れる放電電流の流れる電流の向きが反転しており、上下の放電電流の向きが反転することより、電流が流れて発生する磁界に関しても反転する。
【００３４】
なお、本実施の形態１において上側走査電極駆動回路３０を左側に、上側維持電極駆動回路３３を右側に配置してあるが、上側走査電極駆動回路３０を右側、上側維持電極駆動回路３３を左側に配置した場合、下側走査電極駆動回路３４は左側に、下側維持電極駆動回路３６は右側に配置されることは言うまでもない。
【産業上の利用可能性】
【００３５】
本発明にかかるプラズマディスプレイ装置は、上下の走査電極と維持電極間に流れる放電電流が反転していることより、電流が流れることで発生磁界に関しても反転することより磁界の打ち消しあいが図れることより放電電流による不要磁界を極力小さく出来るのでプラズマディスプレイ装置として大変有用である。
【図面の簡単な説明】
【００３６】
【図１】本発明の実施の形態１における電極構成とブロック図
【図２】本発明の実施の形態１におけるタイミングチャート
【図３】本発明の実施の形態１における詳細タイミングチャート
【図４】従来のプラズマディスプレイ装置のパネル構造を示す斜視図
【図５】図４のＡ−Ａ’線で切断した断面図
【図６】図４のＢ−Ｂ’線で切断した断面図
【図７】パネル本体の電極配列図
【図８】ＡＣ型プラズマディスプレイ装置の駆動方法のタイミングチャートの一例図
【図９】プラズマディスプレイ装置の全体構成の一例図
【符号の説明】
【００３７】
１    前面側の基板
２    走査電極
３    維持電極
４    表示電極
５    遮光層
６    誘電体層
７    保護膜
８    背面側の基板
９    絶縁体層
１０    データ電極
１１    隔壁
１２    蛍光体層
１３    放電セル
１４    パネル本体
１５    フロントケース部
１６    バックケース部
１７    透光部
１８    シャーシ部材
１９    熱伝導シート
２０    回路ブロック  
３０    上側走査電極駆動回路
３１    上側データ電極駆動回路  
３３    上側維持電極駆動回路
３４    下側走査電極駆動回路
３５    下側データ電極駆動回路
３６    下側維持電極駆動回路
【図１】
2005326443.tif 000003
【図２】
2005326443.tif 000004
【図３】
2005326443.tif 000005
【図４】
2005326443.tif 000006
【図５】
2005326443.tif 000007
【図６】
2005326443.tif 000008
【図７】
2005326443.tif 000009
【図８】
2005326443.tif 000010
【図９】
2005326443.tif 000011